(57)【特許請求の範囲】
【請求項１】
ランダムアクセス可能な記録媒体から動画データを取得する動画データ取得部と、
前記動画データ取得部から取得された動画データを再生する動画データ再生部と、
前記記録媒体から前記動画データに対応した管理情報を取得する管理情報取得部と、
前記管理情報を基に、タイトル表示データを生成するタイトル生成部と、
前記動画データ再生部において前記動画データ再生中にシーン切り替えを判定するシーン判定部と、
前記シーン切り替え時に、シーン切り替え後の動画データに対応するタイトル表示データを出力した後に、当該タイトル表示データの出力を切り替えて、当該シーン切り替え後の動画データを出力するタイトル挿入部と、
を備えた動画再生装置。
【請求項２】
前記タイトル表示データは、前記管理情報取得部で取得した日時情報を含む請求項１に記載の動画再生装置。
【請求項３】
前記タイトル表示データは、前記管理情報取得部で取得したシーン種別情報を含む請求項１又は請求項２に記載の動画再生装置。
【請求項４】
前記タイトル表示データは、前記管理情報取得部で取得した撮影場所情報を含む請求項１から請求項３の何れかに記載の動画再生装置。
【請求項５】
前記タイトル挿入部は、前記タイトル表示データを一定時間出力する、請求項１から請求項４の何れかに記載の動画再生装置。
【請求項６】
前記タイトル挿入部は、前記タイトル表示データと次の動画データとをフェードさせながら切り替えて出力する請求項１から請求項４の何れかに記載の動画再生装置。
【請求項７】
ランダムアクセス可能な記録媒体から動画データを取得する動画データ取得ステップと、
前記動画データ取得部から取得された動画データを再生する動画データ再生ステップと、
前記記録媒体から前記動画データに対応した管理情報を取得する管理情報取得ステップと、
前記管理情報を基に、タイトル表示データを生成するタイトル生成ステップと、
前記動画データ再生部において前記動画データ再生中にシーン切り替えを判定するシーン判定ステップと、
前記シーン切り替え時に、シーン切り替え後の動画データに対応するタイトル表示データを出力した後に、当該タイトル表示データの出力を切り替えて、当該シーン切り替え後の動画データを出力するタイトル挿入ステップと、
を有する動画再生方法。
【発明の詳細な説明】
【技術分野】
【０００１】
本発明は、記録された映像信号を、再生する動画再生装置に関するものであり、特に再生時に映像信号にタイトル情報を挿入し、再生する動画再生装置に関する。
【背景技術】
【０００２】
近年のデバイス技術の進展により、デジタル化された動画映像信号の記録メディアとしてテープメディアから、ＤＶＤなどの光ディスクや、ＨＤＤなどの磁気ディスク、ＳＤカードなどのフラッシュメモリへ記録を行なう応用機器が普及し始めている。
【０００３】
これらメディアの特徴としては、テープメディアと異なり、ランダムアクセスが可能であり、ファイルシステムを使用したファイルという単位での管理を行うことができる。
【０００４】
そのため、従来のテープメディアと異なり、動画データと動画データを制御する動画データ管理情報を組み合わせて、再生を実現することが可能である。
【０００５】
動画データ管理情報を活用して、再生を行う動画再生装置として、例えば特許文献１には、サムネイル画像等を用いて、目的とする動画を検索する動画再生装置が開示されている。
【特許文献１】特開２００５−５７９３号公報
【発明の開示】
【発明が解決しようとする課題】
【０００６】
これらの動画データおよび動画データ管理情報を組み合わせて、複数シーンからなる動画データの再生を行った際、シーンとシーンの間が切れ目なく再生することが可能である。しかしながら、同じ日付や同じシチュエーションの場合であれば、切れ目なく再生されることは大きなメリットであるのだが、異なる日付や異なるシチュエーションの場合は、気がついた時にはシーンが切り替わっており、いつ、どこで記録されたものなのか使用者は認知することができないまま再生が継続されるデメリットも生じてしまう。
【０００７】
また、そこで、シーン毎に切り替わりが認知できるようにタイトル画像をシーンとシーンの間に挿入しようとすると、パソコンの編集ソフトなどを使用しなければならず、その作業を行うためには、動画データの取り込み、編集後の再エンコードが必要になるといった多くの時間と手間がかかる作業が必要となっている。
【０００８】
さらに、編集によりタイトル画像を挿入すると、オリジナルの動画データと異なるものとなるため、オリジナルの動画データを別途保存していない限り、オリジナルの動画データが失われてしまうといった問題点もある。
【課題を解決するための手段】
【０００９】
上記課題を解決するために本発明の動画再生装置は、ランダムアクセス可能な記録媒体から動画データを取得する動画データ取得部と、前記動画データ取得部から取得された動画データを再生する動画データ再生部と、前記記録媒体から前記動画データに対応した管理情報を取得する管理情報取得部と、前記管理情報を基に、タイトル表示データを生成するタイトル生成部と、前記動画データ再生部において前記動画データ再生中にシーン切り替え時を判定するシーン判定部と、前記シーン切り替え時に、前記動画データ再生部による動画データと前記タイトル表示データとを切り換えて出力するタイトル挿入部と、を備える。
【発明の効果】
【００１０】
上記の構成により、シーン毎などに自動でタイトル表示データを挿入でき、タイトル画像を作成する必要がないため、シーンの切り替わりを認知するために過去に生成された動画データに対しても、ユーザーは別途編集しなおす必要がなくなる。
【００１１】
また、再生時にタイトル表示データを挿入し、オリジナルの動画データに変更を加えないため、オリジナルの動画データを別途保存する必要がなくなる。
【発明を実施するための最良の形態】
【００１２】
ランダムアクセス可能な記録媒体を備えたビデオカメラやビデオレコーダの再生機能として実現する。
（実施の形態）
以下、添付の図面を参照しながら、本発明による動画再生装置の実施の一例を詳細に説明する。
【００１３】
図１は、本発明の実施の一例による動画再生装置のブロック構成図を示している。
【００１４】
以下、動画再生装置１０１の構成について、説明する。
【００１５】
記録媒体１０１は、デジタル化された動画データおよびその管理情報が格納されており、ＤＶＤなどの光ディスクや、ＨＤＤなどの磁気ディスク、ＳＤカードなどのフラッシュメモリである。
【００１６】
管理情報取得部１０２は、記録媒体１０１に記録された動画データに関する管理情報を、記録媒体１０１から取得する。管理情報としては、動画データが記録された日時を示す日時情報や、ユーザ登録や画像認識による、動画データが記録されたシーン（運動会やクリスマス）を判別するシーン種別情報や、ユーザ登録やＧＰＳ情報による撮影場所情報等が含まれる。
【００１７】
タイトル生成部１０３は、管理情報取得部１０２から取得した管理情報を用いて、タイトル表示データを生成する。
【００１８】
動画データ取得部１０４は、記録媒体１０１に記録された動画データを取得する。動画データ再生部１０５は、動画データ取得部１０４で取得した動画データを復号し、出力する。
【００１９】
シーン切り替え判定部１０７は、動画データ再生部１０５が所定のひとまとまりの動画データの再生を完了した際に送出される通知を基に、シーン切り替えを判定し、その結果を通知する。
【００２０】
タイトル挿入部１０６は、シーン切り替え判定部１０７からの通知を基に、動画データ再生部１０５からの動画データと、タイトル生成部１０３からのタイトル表示データとを
切り替えて出力する。
【００２１】
表示器１０８は、タイトル挿入部１０６から出力されるデータを表示する液晶ディスプレイ等である。なお、本実施の形態では、動画再生装置中に表示器１０８が含まれる構成としたが、これに限定されず、表示器１０８が動画再生装置１００とは別の外部ディスプレイであってもよく、この場合、タイトル挿入部１０６から出力される表示データは、外部出力部（図示せず）を介して、表示器１０８に出力される。
【００２２】
以下に、動画再生装置１００の再生動作の説明を行う。
【００２３】
動画再生装置１００は、複数シーンを識別するための代表画であるサムネイル画像を表示し、ユーザーは所望のシーンに対応したサムネイル画像を指定することにより、所望の動画データを再生することができる。
【００２４】
そこで、実施の一例として、ユーザーが所望のサムネイル画像を指定し、所望の動画データを再生する手順を図２、図３、図４を使用し説明を行う。図２は、記録媒体１０１には２つの動画データがあり、その動画データの代表画であるサムネイル画像２０１、２０２が表示器１０８に２つ表示されている状態を表している。図３は、本実施の一例のフローチャートであり、図４は、表示器１０８のタイトル表示データおよび動画データの再生画像が表示されている様子を示している。
【００２５】
動画再生装置１００は、ユーザーによりサムネイル画像２０１が選択され、動画データ１の再生を指示されたとする（Ｓ３０２）。
【００２６】
すると、動画再生装置１００は、管理情報取得部１０２に対して、動画データ１に対応する管理情報の取得を指示する。管理情報取得部１０２は、記録媒体１０１から動画データ１の管理情報を取得し（Ｓ３０３）、取得した管理情報から日時情報を、タイトル生成部１０３に通知する。
【００２７】
タイトル生成部１０３は、管理情報取得部１０２より通知された日時情報を元に、動画データ１のタイトル表示データを生成する（Ｓ３０４）。この時、タイトル挿入部１０６は、タイトル生成部１０３で生成された動画データ１のタイトル表示データを表示器１０８に表示を行う。この際に表示器１０８に表示される画像を図４の４０１に示す。
【００２８】
次に動画再生装置１００は、動画データ１のタイトル表示データの表示から動画データ１の再生画像の表示への切り替えを行うまでの時間の計測を、カウンタを使用し開始する（Ｓ３０５）。カウンタは、一定時間ごとにカウントアップされる（Ｓ３１０）。
【００２９】
動画再生装置１００は、あらかじめ設定されていたタイトル表示時間になると（Ｓ３０６）、動画データ再生部１０５に対して、動画データ１の再生を指示する（Ｓ３０７）。
【００３０】
動画データ再生部１０５は、動画データ１の再生の指示を受けると、管理情報取得部１０２より、動画データ１の再生区間の情報などを取得する。そして、動画データ再生部１０５は、取得された情報に基づいて、動画データ取得部１０４に対して、記録媒体１０１より動画データ１を取得するように指示を行う。
【００３１】
記録媒体１０１より取得された動画データ１は、動画データ再生部１０５により復号が開始される。
【００３２】
動画データ再生部１０５は、復号が開始されると、シーン切り替え判定部１０７に対して、動画データ１の再生が開始されたことを通知する。
【００３３】
シーン切り替え判定部１０７は、動画データ１の再生開始の通知を受け取り、タイトル挿入部１０６に対して、表示器１０８の表示を動画データ１のタイトル表示データの表示から、動画データ１の再生画像の表示への切り替えを指示する。
【００３４】
タイトル挿入部１０６は、シーン切り替え判定部１０７からの動画データ１の再生画像表示への切り替え指示を受けて、表示器１０８の表示を動画データ１の再生画像の表示へと切り替える。この際に表示器１０８に表示される画像を図４の４０２に示す。
【００３５】
次に、動画データ１の再生が終了し、動画データ２の再生開始の動作について説明を行う。
【００３６】
管理情報取得部１０２より指示された動画データ１の再生区間が終了すると、動画データ再生部１０５は、動画データ１の再生を終了する（Ｓ３０８）。動画データ１の再生が終了すると、動画再生装置１００は、管理情報取得部１０２に対して次の動画データが存在するかの問い合わせを行う（Ｓ３０９）。なお、この問い合わせは、動画データ１と動画データ２のタイトル表示データを切れ目なく切り替えるため、動画データ１の再生が終了する以前にあらかじめ取得しておいても良い。
【００３７】
動画再生装置１００は、管理情報取得部１０２より、動画データ２が存在することを取得すると、次に動画再生装置１００は、管理情報取得部１０２に対して、動画データ２の管理情報の取得を指示する。管理情報取得部１０２は、記録媒体１０１から動画データ２の管理情報を取得し（Ｓ３０３）、取得した管理情報から日時情報を、タイトル生成部１０３に通知する。
【００３８】
タイトル生成部１０３は、管理情報取得部１０２より通知された日時情報を元に、動画データ２のタイトル表示データを生成する（Ｓ３０４）。
【００３９】
また、動画データ再生部１０５は、シーン切り替え判定部１０７に対して、動画データ１の再生が終了したことを通知する。この通知を受け取ったシーン切り替え判定部１０７は、タイトル挿入部１０６に対して、動画データ１の再生画像から動画データ２のタイトル表示データへの表示を指示する。
【００４０】
タイトル挿入部１０６は、タイトル生成部１０３で生成された動画データ２のタイトル表示データを表示器１０８に表示する。この際に表示器１０８に表示される画像を図４の４０３に示す。この時、もし動画データ２が存在しない場合は、動画再生装置１００の指示により、図２のサムネイル画面に表示が切り替わることとなる。
【００４１】
次に動画再生装置１００は、タイトル表示データの表示から動画データ２の再生画像の表示への切り替えを行うまでの時間の計測を、カウンタを使用し開始する（Ｓ３０５）。カウンタは、一定時間ごとにカウントアップされる（Ｓ３１０）。
【００４２】
動画再生装置１００は、あらかじめ設定されていたタイトル表示時間になると（Ｓ３０６）、動画データ再生部１０５に対して、動画データ２の再生を指示する（Ｓ３０７）。
【００４３】
動画データ再生部１０５は、動画データ２の再生の指示を受けると、管理情報取得部１０２より、動画データ２の再生区間の情報などを取得する。そして、動画データ再生部１０５は、取得された情報に基づいて、動画データ取得部１０４に対して、記録媒体１０１より動画データ２を取得するように指示を行う。
【００４４】
記録媒体１０１より取得された動画データ２は、動画データ再生部１０５により復号が開始される。
【００４５】
動画データ再生部１０５は、複合が開始されると、シーン切り替え判定部１０７に対して、動画データ２の再生が開始されたことを通知する。
【００４６】
シーン切り替え判定部１０７は、動画データ２の再生開始の通知を受け取り、タイトル挿入部１０６に対して、表示器１０８の表示を動画データ２のタイトル表示データの表示から、動画データ２の再生画像の表示への切り替えを指示する。
【００４７】
タイトル挿入部１０６は、シーン切り替え判定部１０７からの動画データ２の再生画像表示への切り替え指示を受けて、表示器１０８の表示を動画データ２の再生画像の表示へと切り替える。この際に表示器１０８に表示される画像を図４の４０４に示す。
【００４８】
管理情報取得部１０２より指示された動画データ２の再生区間が終了すると、動画データ再生部１０５は、動画データ２の再生を終了する（Ｓ３０８）。動画データ２の再生が終了すると、動画再生装置１００は、管理情報取得部１０２に対して次の動画データが存在するかの問い合わせを行う（Ｓ３０９）。
【００４９】
動画再生装置１００は、管理情報取得部１０２より、動画データ３が存在しないことを取得する。動画データ３が存在しないため、動画再生装置１００は、動画再生処理を終了し、図２のサムネイル画面へと表示器の表示の切り替えを行う。
【００５０】
以上が、ユーザーにより再生指示が行われた際の実施の一例となる。
【００５１】
実施の形態の一例として、タイトル生成部１０３が管理情報取得部１０２より受け取る管理情報として日時情報を用いた説明を行ったが、どんなシーン(例えば、運動会やクリスマスなど)かを表すシーン種別情報や、どこで撮影されたのかを表す撮影場所情報を、いずれか、もしくはすべてを管理情報取得部１０２より受け取って、タイトル表示データを生成しても良い。
【００５２】
日時情報以外に、シーン種別情報、撮影場所情報をタイトル表示することによって、ユーザは、再生される動画がどのような動画であるか、より正確に認識することができるようになる。
【００５３】
また、実施の形態の一例として、タイトル挿入部１０６は、タイトル表示データと動画データの再生画像の切り替え表示を用いた説明を行ったが、タイトル表示データと動画データの再生表示をフェードミックスや、完全なオーバーレイ表示を行っても良い。
【００５４】
フェードミックスや、オーバーレイ表示を行うことによって、ある動画データから次の動画データの再生に移る際に、ユーザは再生動画の切り替え時の違和感を緩和することができる。
【産業上の利用可能性】
【００５５】
ランダムアクセス可能な記録媒体を備えた動画データを再生することができるビデオカメラやビデオレコーダに適用できる。
【図面の簡単な説明】
【００５６】
【図１】動画再生装置の実施の一例を示すブロック図
【図２】実施の一例における動画再生装置のサムネイル画面表示を示す図
【図３】実施の一例における再生処理のフローチャート
【図４】実施の一例における表示器での表示を示す図
【符号の説明】
【００５７】
１００    動画再生装置
１０１    記録媒体
１０２    管理情報取得部
１０３    タイトル生成部
１０４    動画データ取得部
１０５    動画データ再生部
１０６    タイトル挿入部
１０７    シーン切り替え判定部
１０８    表示器
２０１    動画データ１のサムネイル画像
２０２    動画データ２のサムネイル画像
２０３    前ページボタン
２０４    次ページボタン
４０１    動画データ１のタイトル表示データの表示器の表示
４０２    動画データ１の再生データの表示器での表示
４０３    動画データ２のタイトル表示データの表示器の表示
４０４    動画データ２の再生データの表示器での表示
【図１】
0005151660.tif 000002
【図２】
0005151660.tif 000003
【図３】
0005151660.tif 000004
【図４】
0005151660.tif 000005